(57)【要約】【課題】構造が簡単で封油性能が優れたエレベータ用巻上機の封油機構を提供すること。【解決手段】エレベータ用巻上機の回転軸周囲からの油漏れを防ぐ封油機構は、機器隔壁の外部に回転軸を囲む環状の封油空洞を形成する端壁部材と、封油空洞内で回転軸に接する封油リングと、油漏出方向に見て封油リングの下流側に設けられ、漏出して来た油の軸方向移動を阻止する環状の径方向障壁と、径方向障壁からの油を集めて溜める環状の油溜と、油溜めに溜められた油を軸受箱間に戻す戻し流路とを備えている。【効果】簡単な構造で優れた封油性能を得ることができる。【選択図】図１
2010285260.tif 000002
【特許請求の範囲】
【請求項１】
エレベータ用巻上機の機器隔壁に設けられて回転軸を支持する軸受装置からの油の漏出を防ぐための封油機構であって、
上記機器隔壁の外面に設けられ、上記軸受装置の軸受箱に連通し、上記回転軸を囲む環状の封油空洞を形成する端壁部材と、
上記封油空洞内に設けられた封油リングとを備えたエレベータ用巻上機の封油機構において、
上記端壁部材が、上記油の漏出方向に見て上記封油リングの下流側に設けられ、上記回転軸を囲んで摺動接触し、上記封油リングから漏出して来た油のそれ以上の軸方向移動を阻止する環状の径方向障壁と、
上記径方向障壁によって軸方向移動が阻止された油を集めて溜める環状の油溜と、
上記油溜めと上記軸受箱とを連通させて、上記油溜めに溜められた油を上記軸受箱に戻す油戻し流路とを備えたことを特徴とするエレベータ用巻上機の封油機構。
【請求項２】
上記径方向障壁が上記回転軸に摺動接触する内周面を持つことを特徴とする請求項１に記載のエレベータ用巻上機の封油機構。
【請求項３】
上記油戻し流路は、上記油溜め内の開口が上記油溜めの最も低い位置にあり、上記軸受箱内の開口が上記油溜め内の開口より低い位置に配置されていることを特徴とする請求項１あるいは２に記載のエレベータ用巻上機の封油機構。
【発明の詳細な説明】
【技術分野】
【０００１】
この発明はエレベータ用巻上機の封油機構に関するものである。
【背景技術】
【０００２】
エレベータ用巻上機においては、ブレーキ装置が回転軸の軸受箱近くに配置されること一般的であり、軸受箱から潤滑油が漏れ出てブレーキ制動面に付着するようなことは回避しなければならないため、ブレーキ付近の軸受箱（封油部）にはより完全な封油機構が必要である。軸受箱から回転軸を伝わって潤滑油が漏れ出ないようにする封油機構としては、封油リングを二段設けたもの（例えば特許文献１参照）や、磁性流体を用いて封油するもの（例えば特許文献２参照）や、二段の封油リングのうち外側を非接触型のフランジ状環体によって遠心力で飛ばしてカバーで捕捉して排出する封油機構としたもの（例えば特許文献３参照）などが提案されている。
【先行技術文献】
【特許文献】
【０００３】
【特許文献１】特開平１−２３６１８９号公報
【特許文献２】特開平４−１６４８７号公報
【特許文献３】特開平４−７５９９３号公報
【発明の概要】
【発明が解決しようとする課題】
【０００４】
しかしながら、封油リングを二段にしたものにおいては、二段目の封油リングのリップ部に給油が無いため、摺動部の摩耗するだけでなく、摩擦熱により封油リングが焼き付いたり、材質が劣化したりして、封油機能が失われることがある。また磁性流体を用いて封油するものにおいては、電磁ブレーキの近くに配置すると磁性流体が磁力の影響を受けて性能に支障を来すことがあり、磁性流体という特殊な材料を用いるために封油機構が高価なものとなる。二段目の封油リングを非接触型にしたものにおいては、漏れ出た油はドレンから排出しているが、排出された油が他の機器に悪影響を及ぼさないようにする処理、特にブレーキ制動面に付着しないようにするための処理が必要であり、また油を捕捉するための別部品のカバーを設ける必要があり、部品点数が多くなっている。
【課題を解決するための手段】
【０００５】
この発明のエレベータ用巻上機の封油機構は、エレベータ用巻上機の機器隔壁に設けられて回転軸を支持する軸受装置からの油の漏出を防ぐための封油機構であって、上記機器隔壁の外面に設けられ、上記軸受装置の軸受箱に連通し、上記回転軸を囲む環状の封油空洞を形成する端壁部材と、上記封油空洞内に設けられた封油リングとを備えたエレベータ用巻上機の封油機構において、上記端壁部材が、上記油の漏出方向に見て上記封油リングの下流側に設けられ、上記回転軸を囲んで摺動接触し、上記封油リングから漏出して来た油のそれ以上の軸方向移動を阻止する環状の径方向障壁と、上記径方向障壁によって軸方向移動が阻止された油を集めて溜める環状の油溜と、上記油溜めと上記軸受箱とを連通させて、上記油溜めに溜められた油を上記軸受箱に戻す油戻し流路とを備えたことを特徴とするエレベータ用巻上機の封油機構である。
【発明の効果】
【０００６】
この発明のエレベータ用巻上機の封油機構によれば、簡単な構造で優れた封油性能を得ることができる。
【図面の簡単な説明】
【０００７】
【図１】この発明のエレベータ用巻上機の実施の形態を示す概略部分断面である。
【図２】図１のエレベータ用巻上機の円Ａで囲んだ部分の拡大図である。
【発明を実施するための形態】
【０００８】
以下、この発明のエレベータ用巻上機の封油機構の実施の形態について説明する。
【０００９】
実施の形態１．
図１および２はこの発明のエレベータ用巻上機の封油機構の一実施形態を示し、これらの図において、エレベータ用巻上機は、ハウジングなどの機器隔壁１内に収容された電動機２と、電動機２によって駆動される回転軸３と、回転軸３を回転可能に支持し、機器隔壁１によって形成された軸受箱４内に支持された軸受５を持つ軸受装置６とを備えている。また、回転軸３の図１で右側の端部は、図示してないが同様の軸受に支持されて機器隔壁１から突出していて、先端部に主索７が巻き掛けられた綱車８が設けられていて、綱車８と主索７によって図示してないかごおよび釣合重りを昇降できるようにしてある。
【００１０】
回転軸３の図１で左側の端部は、軸受装置６から突出した小径部３ａとなっていて、この小径部３ａ上に、軸受装置６に隣接してこの発明の封油機構９が設けられている。封油機構９は、エレベータ用巻上機のハウジングなどの機器隔壁１に設けられて、回転軸３を回転可能に支持する軸受装置６からの潤滑油等の油の漏出を防ぐための封油機構である。回転軸３は封油機構９を越えて更に図で左方向に突出していて、先端部には電磁ブレーキ１０が設けられている。
【００１１】
電磁ブレーキ１０は、封油機構９の端面に固着されたコイルケースである固定鉄心１１内に収納されたコイル１２と、コイル１２が附勢されたときに吸引されて固定鉄心１１に吸着される可動鉄心１３と、可動鉄心１３を固定鉄心１１から離れた位置に常時偏倚する圧縮ばね１４と、可動鉄心１３が圧縮ばね１４によって固定鉄心１１から離れた方向に押圧されているときに可動鉄心１３によって図で左方向に押圧され、回転軸３の先端に設けられたスプラインハブ１５とのスプライン係合のために軸方向には移動できるが相対的に回転はできないようにされ、ブレーキライニング１６を持ったブレーキ板１７と、封油機構９の端面にロッド１８によって固定保持され、可動鉄心１３によって押圧されたときにブレーキ板１７が接触する固定円板１９とを備えている。
【００１２】
封油機構９は、機器隔壁１の外面に設けられ、軸受装置６の軸受箱４に連通し、回転軸３を囲む環状の封油空洞２０を形成する端壁部材２１と、封油空洞２０内に設けられ、例えばシール２２とばねリング２３とで構成された封油リング２４とを備えている。端壁部材２１は、図示の例では、ほぼ円筒形の機器隔壁１の端壁の外面に重ね合わせられるように配置されて機器隔壁１に固定されたほぼ円板状の部材である。端壁部材２１の中央部には回転軸３を受け入れて摺動接触する環状の内周面２５が形成されている。また、端壁部材２１の機器隔壁１の側の端面には、機器隔壁１によって形成される軸受箱４に嵌合する円筒形のフランジ２６が設けられている。
【００１３】
端壁部材２１の封油空洞２０は、軸受箱４に直接連通してその中に封油リング２４を収納する回転軸３を囲む環状の封油リング室２７を備えている。封油リング２４のシール２２の内周部は、ばねリング２３によって回転軸３に圧力下で摺動接触させられていて、回転軸３を伝わって外部に漏出しようとする油の流出を阻止する。
【００１４】
端壁部材２１にはまた、図で左方向、すなわち油の漏出方向に見て封油リング２４の下流側に設けられ、封油リング２４から漏出して来た油を集めて溜めるための環状の油溜め２８が設けられている。油溜め２８の下流側の終端は、端壁部材２１の内周面２５から立ち上がって回転軸３を囲んだ環状の径方向障壁２９によって形成されている。このため、封油リング２４と回転軸３との間から漏出して回転軸３に沿って軸方向に移動してきた油は、径方向障壁２９によって遮られてそれ以上の軸方向移動が阻止され、径方向障壁２９を伝わって重力によって下方に流れ、油溜め２８の最も低い位置に移動して集められる。
【００１５】
端壁部材２１にはさらに、油溜め２８と軸受箱４とを連通させて、油溜め２８に溜められた油を軸受箱４に戻す油戻し流路３０を備えている。油戻し流路３０は、油溜め２８内の開口３１が油溜め２８の最も低い位置にあり、軸受箱４内の開口３２が油溜め２８内の開口３１よりも低い位置に配置されていて、油溜め２８から軸受箱４への油の流れが重力によって確実に得られるようにしてある。
【００１６】
以上の説明から明らかなとおり、この発明のエレベータ用巻上機の封油機構によれば、簡単な構造で優れた封油性能を得ることができる。
【００１７】
以上に図示して説明したエレベータ用巻上機の封油機構は単なる例であって様々な変形が可能であり、またそれぞれの具体例の特徴を全てあるいは選択的に組み合わせて用いることもできる。
【産業上の利用可能性】
【００１８】
この発明はエレベータ用巻上機の封油機構に利用できるものである。
【符号の説明】
【００１９】
１  加熱コイル、３  被加熱材、４  供給装置、１８  絶縁体。
【図１】
2010285260.tif 000003
【図２】
2010285260.tif 000004